(57)【要約】【課題】書込み動作の駆動電圧マージンを狭めることなく書込み放電を安定して発生させることができるプラズマディスプレイパネルの駆動方法を提供する。【解決手段】表示電極対と平行に配置した複数のプライミング電極を有するプラズマディスプレイパネルの駆動方法であって、１フィールドを初期化期間、書込み期間、維持期間を有する複数のサブフィールドで構成し、サブフィールドのうち画像表示にかかわるすべての放電セルを初期化放電させる初期化期間を有するサブフィールドに先立つサブフィールドの維持期間においてプライミング電極ＰＲ１〜ＰＲｎ−１が陰極となる放電を抑制するための電圧Ｖｘをプライミング電極ＰＲ１〜ＰＲｎ−１に印加する。【選択図】図４
2005258278.tif 000002
【特許請求の範囲】
【請求項１】
第１の基板と、
前記第１の基板上にあって、平行に配置した走査電極および維持電極からなる複数の表示電極対と、
放電空間を挟んで前記第１の基板に対向配置された第２の基板と、
前記第２の基板上にあって、前記表示電極対と交差する方向に配置した複数のデータ電極と、
前記第２の基板上にあって、前記表示電極対と平行に配置した複数のプライミング電極と、
前記第１の基板と前記第２の基板の間にあって、主放電を発生させる主放電セル、およびプライミング放電を発生させるプライミング放電セルを区画するように設けた隔壁とを備えたプラズマディスプレイパネルの駆動方法であって、
１フィールドを初期化期間、書込み期間、維持期間を有する複数のサブフィールドで構成し、
前記サブフィールドのうち画像表示にかかわるすべての放電セルを初期化放電させる初期化期間を有するサブフィールドに先立つサブフィールドの維持期間において、前記プライミング電極が陰極となる放電を抑制するための電圧を前記プライミング電極に印加することを特徴とするプラズマディスプレイパネルの駆動方法。
【請求項２】
前記サブフィールドのうち画像表示にかかわるすべての放電セルを初期化放電させる初期化期間を有するサブフィールドの初期化期間において、前記走査電極に上り傾斜波形電圧を印加するとともに前記プライミング電極に下り傾斜波形電圧を印加することを特徴とする請求項１に記載のプラズマディスプレイパネルの駆動方法。
【発明の詳細な説明】
【技術分野】
【０００１】
本発明は、壁掛けテレビや大型モニター等に用いられるプラズマディスプレイパネルの駆動方法に関する。
【背景技術】
【０００２】
プラズマディスプレイパネル（以下、ＰＤＰまたはパネルと略記する）は、大画面、薄型、軽量であることを特徴とする視認性に優れた表示デバイスである。
【０００３】
ＰＤＰとして代表的な交流面放電型パネルは、対向配置された前面板と背面板との間に多数の放電セルが形成されている。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としてはサブフィールド法、すなわち、１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００５】
初期化期間では、すべての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるというはたらきをもつ。書込み期間では、走査電極に順次走査パルスを印加するとともに、データ電極には表示すべき画像信号に対応した書込みパルスを印加し、走査電極とデータ電極との間で選択的に書込み放電をおこし、選択的な壁電荷形成を行う。つづく維持期間では、走査電極と維持電極との間に所定の回数の維持パルスを印加し、書込み放電による壁電荷形成を行った放電セルを選択的に放電させ発光させる。
【０００６】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電をおこし難くしていること等、書込み放電に関しては放電遅れを大きくする要因が多い。したがって、書込み放電を安定して発生させるためのプライミングが非常に重要となる。
【０００７】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足して放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００８】
これらの問題を解決するために、パネルの前面板に設けたプライミング放電セルを用いてプライミングを発生させ、放電遅れを小さくするパネルとその駆動方法が提案されている（たとえば特許文献１）。
【特許文献１】特開２００２−１５０９４９号公報
【発明の開示】
【発明が解決しようとする課題】
【０００９】
近年、消費電力削減や輝度向上の要求にこたえるために、パネルの構造やパネル材料等に対する検討が活発になされている。たとえば、パネルに封入されている放電ガスのキセノン分圧を増加させることによりパネルの発光効率が向上することが一般に知られている。しかしながら上述のパネルおよびその駆動方法においては、キセノン分圧を増加させると放電、特に初期化放電が不安定になり、つづく書込み期間に書込み不良を生じるおそれがある等、書込み動作の駆動電圧マージンが狭くなるという課題があった。
【００１０】
本発明は、これらの課題に鑑みなされたものであり、初期化放電を安定化させることによって、良好な品質で画像表示させることができるパネルの駆動方法を提供することを目的とする。
【課題を解決するための手段】
【００１１】
本発明のプラズマディスプレイパネルの駆動方法は、第１の基板と、第１の基板上にあって平行に配置した走査電極および維持電極からなる複数の表示電極対と、放電空間を挟んで第１の基板に対向配置された第２の基板と、第２の基板上にあって表示電極対と交差する方向に配置した複数のデータ電極と、第２の基板上にあって表示電極対と平行に配置した複数のプライミング電極と、第１の基板と第２の基板の間にあって主放電を発生させる主放電セルおよびプライミング放電を発生させるプライミング放電セルを区画するように設けた隔壁とを備えたプラズマディスプレイパネルの駆動方法であって、１フィールドを初期化期間、書込み期間、維持期間を有する複数のサブフィールドで構成し、サブフィールドのうち画像表示にかかわるすべての放電セルを初期化放電させる初期化期間を有するサブフィールドに先立つサブフィールドの維持期間においてプライミング電極が陰極となる放電を抑制するための電圧をプライミング電極に印加することを特徴とする。この方法によって、初期化放電を安定化させることができ、良好な品質で画像表示させることができるプラズマディスプレイパネルの駆動方法を提供することが可能となる。
【００１２】
また、本発明のプラズマディスプレイパネルの駆動方法は、サブフィールドのうち画像表示にかかわるすべての放電セルを初期化放電させる初期化期間を有するサブフィールドの初期化期間において、走査電極に上り傾斜波形電圧を印加するとともにプライミング電極に下り傾斜波形電圧を印加してもよい。この方法によってプライミングを強めることができるので、より安定した初期化放電を行うことができ、良好な品質で画像表示させることができるプラズマディスプレイパネルの駆動方法を提供することが可能となる。
【発明の効果】
【００１３】
本発明によれば、初期化放電を安定化させることによって、良好な品質で画像表示させることができるプラズマディスプレイパネルの駆動方法を提供することができる。
【発明を実施するための最良の形態】
【００１４】
以下、本発明の実施の形態におけるパネルについて、図面を用いて説明する。
【００１５】
（実施の形態）
図１は本発明の実施の形態におけるパネルの構造を示す分解斜視図であり、図２は同パネルの断面図である。第１の基板であるガラス製の前面基板２１と第２の基板である背面基板３１とが放電空間を挟んで対向配置され、放電空間には放電によって紫外線を放射するネオンとキセノンとの混合ガスが封入されている。
【００１６】
前面基板２１上には、走査電極２２と維持電極２３とからなる表示電極対が互いに平行に複数対形成されている。このとき、走査電極２２、維持電極２３は、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。走査電極２２−走査電極２２間、および維持電極２３−維持電極２３間には黒色材料からなる光吸収層２８が設けられている。走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００１７】
背面基板３１上には、走査電極２２および維持電極２３と交差する方向にデータ電極３２が互いに平行に複数形成され、そしてデータ電極３２を覆うように誘電体層３３ａが形成されている。誘電体層３３ａの上には、走査電極２２と平行にプライミング電極３６が複数形成されている。誘電体層３３ａはデータ電極３２とプライミング電極３６との間を絶縁している。そして、プライミング電極３６を覆うように誘電体層３３ｂが形成され、さらにその上に主放電セル４０を区画するための隔壁３４が形成されている。
【００１８】
隔壁３４は、データ電極３２と平行な方向に延びる縦壁部３４ａと、主放電セル４０を形成しかつ主放電セル４０の間に隙間部４１を形成する横壁部３４ｂとで構成されている。その結果、隔壁３４は一対の走査電極２２と維持電極２３とからなる表示電極対に沿って主放電セル４０を複数連結した主放電セル行を形成し、隣接した主放電セル行の間に隙間部４１を生じる。隙間部４１のうち、２本の走査電極２２が隣り合う側に位置する隙間部４１にプライミング電極３６が形成されており、この隙間部４１はプライミング放電セル４１ａとしてはたらく。すなわち隙間部４１は１つおきにプライミング電極３６を有するプライミング放電セル４１ａとなっている。なお、隙間部４１ｂは２本の維持電極が隣り合う側に位置する隙間部である。
【００１９】
そして、隔壁３４により区画された主放電セル４０に対応する誘電体層３３ｂの表面と隔壁３４の側面とに蛍光体層３５が設けられている。さらに、プライミング放電セル４１ａに対応する誘電体層３３ｂの表面と隔壁３４の側面とに酸化マグネシウム（ＭｇＯ）粉黛を用いた電子放出層３９が設けられている。電子放出層３９の材料としては２次電子放出係数の大きい材料であればよく、他の金属酸化物、たとえば、Ｙ２Ｏ３、Ｌａ２Ｏ３、ＣｅＯ２、Ｅｒ２Ｏ３、Ｌｕ２Ｏ３、あるいは（Ｌａ，Ｍ１）Ｍ２Ｏ３（ただし、Ｍ１はＢａまたはＳｒ、Ｍ２はＣｏ、Ｎｉ、Ｆｅ、Ｍｎのいずれか）であらわされるペロブスカイト型構造をもつもの、さらには、（Ｌａ，Ｍ１）２Ｍ３Ｏ４（ただし、Ｍ１はＢａまたはＳｒ、Ｍ３はＣｕまたはＮｉ）であらわされるＫ２ＮｉＦ４型構造をもつもの等であってもよい。
【００２０】
なお、上述の説明ではプライミング電極３６を覆うように誘電体層３３ｂが形成されているが、この誘電体層３３ｂは形成しなくてもよい。
【００２１】
図３は本発明の実施の形態におけるパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の実施の形態においては奇数行目の走査電極ＳＣ１、ＳＣ３、・・・の突出部分（図１の突出部分２２ｂ’）との間でプライミング放電を行うようにｎ／２本のプライミング電極ＰＲ１、ＰＲ３、・・・（図１のプライミング電極３６）が配列されている。
【００２２】
そして、一対の走査電極ＳＣｉ、維持電極ＳＵｉ（ｉ＝１〜ｎ）と１つのデータ電極Ｄｊ（ｊ＝１〜ｍ）とを含む主放電セルＣｉ，ｊ（図１の主放電セル４０）が放電空間内にｍ×ｎ個形成される。また１〜ｎ行のうちの奇数行に走査電極ＳＣｉの突出部分とプライミング電極ＰＲｉとを含むプライミング放電セルＰＳｉ（図１のプライミング放電セル４１ａ）が形成される。
【００２３】
次に、パネルを駆動するための駆動波形とそのタイミングについて説明する。
【００２４】
図４は、本発明の実施の形態におけるパネルの駆動波形図である。なお本発明の実施の形態においては、１フィールド期間が初期化期間、書込み期間、維持期間を有する８個のサブフィールドから構成され、最初のサブフィールドの初期化期間は画像表示にかかわるすべての主放電セルで初期化放電を発生させる全セル初期化動作を行い、２番目以降のサブフィールドはその直前のサブフィールドの維持期間で維持放電を行った主放電セルで選択的に初期化放電を発生させる選択初期化動作を行うものとして説明する。全セル初期化期間を便宜上２つに分けて前半部、後半部と呼ぶことにする。
【００２５】
最初のサブフィールドの初期化期間前半部では、データ電極Ｄ１〜Ｄｍ、維持電極ＳＵ１〜ＳＵｎをそれぞれ０（Ｖ）に保持し、走査電極ＳＣ１〜ＳＣｎには電圧Ｖｉ１から、維持電極ＳＵ１〜ＳＵｎおよびデータ電極Ｄ１〜Ｄｍに対して放電開始電圧を超える電圧Ｖｉ２に向かって緩やかに上昇する傾斜波形電圧を印加する。また、プライミング電極ＰＲ１〜ＰＲｎ−１には電圧Ｖｙから電圧Ｖｚに向かって穏やかに下降する傾斜波形電圧を印加する。すると、主放電セル内部およびプライミング放電セル内部では、走査電極ＳＣ１〜ＳＣｎと維持電極ＳＵ１〜ＳＵｎ、走査電極ＳＣ１〜ＳＣｎとデータ電極Ｄ１〜Ｄｍ、走査電極ＳＣ１〜ＳＣｎとプライミング電極ＰＲ１〜ＰＲｎ−１との間でそれぞれ微弱な初期化放電がおこる。このとき、主放電セルＣｉ，ｊ内で放電が発生する前に、まず最初にプライミング放電セルＰＳｉ内の走査電極ＳＣ１〜ＳＣｎとプライミング電極ＰＲ１〜ＰＲｎ−１との間で微弱なプライミング放電がおこる。このときのプライミング放電は放電遅れの小さい安定した放電である。そして主放電セルＣｉ，ｊ内部にプライミングが供給される。つづいて、主放電セルＣｉ，ｊ内で走査電極ＳＣ１〜ＳＣｎと維持電極ＳＵ１〜ＳＵｎ、データ電極Ｄ１〜Ｄｍとの間でそれぞれ微弱な初期化放電がおこる。このときの放電は主放電セルＣｉ，ｊ内部にプライミングが供給された後に発生するため、非常に安定した初期化放電となる。
【００２６】
そして、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ−１上部には正の壁電圧が蓄積される。ここで、電極上部の壁電圧とは電極を覆う誘電体層上あるいは蛍光体層上に蓄積された壁電荷により生じる電圧をあらわす。
【００２７】
初期化期間後半部では、維持電極ＳＵ１〜ＳＵｎを正電圧Ｖｅに、プライミング電極ＰＲ１〜ＰＲｎ−１の電圧を０（Ｖ）に保ち、走査電極ＳＣ１〜ＳＣｎには、維持電極ＳＵ１〜ＳＵｎおよびデータ電極Ｄ１〜Ｄｍに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍ、走査電極ＳＣ１〜ＳＣｎとプライミング電極ＰＲ１〜ＰＲｎ−１との間でそれぞれ微弱な初期化放電がおこる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。以上により画像表示にかかわる全放電セルを初期化放電させる全セル初期化動作が終了する。
【００２８】
書込み期間では、走査電極ＳＣ１〜ＳＣｎを一旦Ｖｃに保持する。そして、プライミング電極ＰＲ１〜ＰＲｎに（Ｖｃ−Ｖｉ４）とほぼ等しい電圧Ｖｑを印加する。
【００２９】
次に、１行目の走査電極ＳＣ１に走査パルス電圧Ｖａを印加する。すると、プライミング電極ＰＲ１上部と走査電極ＳＣ１の突出部分の上部との間の電圧差は、（Ｖｑ−Ｖａ）にプライミング電極ＰＲ１上部の壁電圧が加算されたものとなり、放電開始電圧を超えプライミング放電が発生する。そして、１行目の主放電セルＣ１，１〜Ｃ１，ｍおよび２行目の主放電セルＣ２，１〜Ｃ２，ｍ内部にプライミングを拡散させる。このときの放電は上述したようにプライミング放電セルＰＳ１が放電しやすい構造であるため放電遅れが小さく高速で安定したプライミング放電が得られる。また、この放電によってプライミング電極ＰＲ１上部に負の壁電圧が蓄積される。
【００３０】
このとき同時に、データ電極Ｄ１〜Ｄｍのうち１行目に表示すべき画像信号に対応するデータ電極Ｄｋ（ｋは１〜ｍの整数をあらわす）に正の書込みパルス電圧Ｖｄを印加する。すると、書込みパルス電圧Ｖｄを印加したデータ電極Ｄｋと走査電極ＳＣ１との交差部で放電が発生し、対応する主放電セルＣ１，ｋの維持電極ＳＵ１と走査電極ＳＣ１との間の放電に進展する。そして、主放電セルＣ１，ｋの走査電極ＳＣ１上部に正電圧が蓄積され、維持電極ＳＵ１上部に負電圧が蓄積され、１行目の書込み動作が終了する。
【００３１】
ここで、１行目の書込み動作は、走査電極ＳＣ１の走査にともなってプライミング放電を発生させるとともに書込みを行う。そして、主放電セルＣ１，ｋの書込み放電は、走査電極ＳＣ１とプライミング電極ＰＲ１との間で発生したプライミング放電からプライミングが供給されつつ発生するので放電遅れが小さく安定した放電となる。
【００３２】
次に、２行目の走査電極ＳＣ２に走査パルス電圧Ｖａを印加する。このとき同時に、データ電極Ｄ１〜Ｄｍのうち２行目に表示すべき画像信号に対応するデータ電極Ｄｋに正の書込みパルス電圧Ｖｄを印加する。すると、データ電極Ｄｋと走査電極ＳＣ２との交差部で放電が発生し、対応する主放電セルＣ２，ｋの維持電極ＳＵ２と走査電極ＳＣ２との間の放電に進展する。そして、主放電セルＣ２，ｋの走査電極ＳＣ２上部に正電圧が蓄積され、維持電極ＳＵ２上部に負電圧が蓄積され、２行目の書込み動作が終了する。
【００３３】
ここで、２行目の主放電セルＣ２，ｋの書込み動作は、走査電極ＳＣ１とプライミング電極ＰＲ１との間で発生したプライミング放電から十分なプライミングがすでに供給された状態で発生する。したがって、書込み放電の放電遅れは小さく、安定した放電となる。
【００３４】
以下同様の書込み動作をｎ行目の主放電セルＣｎ，ｋに至るまで行い、書込み動作が終了する。
【００３５】
維持期間においては、走査電極ＳＣ１〜ＳＣｎ、プライミング電極ＰＲ１〜ＰＲｎ−１および維持電極ＳＵ１〜ＳＵｎを０（Ｖ）に一旦戻す。その後、走査電極ＳＣ１〜ＳＣｎに正の維持パルス電圧Ｖｓを印加する。このとき、書込み放電をおこした主放電セルＣｉ，ｊにおける走査電極ＳＣｉ上部と維持電極ＳＵｉ上部との間の電圧は、維持パルス電圧Ｖｓに加えて、書込み期間において走査電極ＳＣｉ上部および維持電極ＳＵｉ上部に蓄積された壁電圧が加算されるので放電開始電圧を超え維持放電が発生する。以降同様に、走査電極ＳＣ１〜ＳＣｎと維持電極ＳＵ１〜ＳＵｎとに維持パルスを交互に印加することにより、書込み放電をおこした主放電セルＣｉ，ｊに対して維持パルスの回数だけ維持放電が継続して行われる。
【００３６】
つづくサブフィールドの初期化期間では、維持電極ＳＵ１〜ＳＵｎを正電圧Ｖｅに保ち、走査電極ＳＣ１〜ＳＣｎには電圧Ｖｉ４に向かって緩やかに下降する傾斜波形電圧を印加する。すると、維持放電を行った主放電セルＣｉ，ｋの走査電極ＳＣ１〜ＳＣｎと維持電極ＳＵ１〜ＳＵｎ、データ電極Ｄ１〜Ｄｍとの間でそれぞれ微弱な初期化放電がおこる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。
【００３７】
この後の書込み期間、維持期間、および、つづくサブフィールドの駆動波形とパネルの動作は上述と同様である。
【００３８】
そして、最後のサブフィールド、すなわち本発明の実施の形態において第８サブフィールドの維持期間では、プライミング電極ＰＲ１〜ＰＲｎ−１に正の電圧Ｖｘを印加する。その他の電極については上述と同様である。すなわち、データ電極Ｄ１〜Ｄｍは０（Ｖ）に保持し、走査電極ＳＣ１〜ＳＣｎと維持電極ＳＵ１〜ＳＵｎとには維持パルスを交互に印加することにより、書込み放電をおこした主放電セルＣｉ，ｊに対して維持パルスの回数だけ維持放電が継続して行われる。ここで、プライミング電極ＰＲ１〜ＰＲｎ−１に正の電圧を印加することにより、維持期間においてプライミング電極ＰＲ１〜ＰＲｎ−１が陰極となる放電が抑制されるので、書込み期間においてプライミング電極ＰＲ１〜ＰＲｎ−１上に蓄積した負の壁電圧が保存され、つづく第１サブフィールドの初期化期間前半部において発生するプライミング放電セル内部の放電を早めることができる。
【００３９】
ここで、初期化期間前半部における動作について再度詳細に説明する。図５は初期化期間前半部における放電の説明図である。
【００４０】
まず、画像表示にかかわるすべての放電セルを初期化放電させる初期化期間を有するサブフィールドに先立つサブフィールド、すなわち本発明の実施の形態においては第８サブフィールドの維持期間において、プライミング電極３６に正の電圧Ｖｘを印加する。これは維持期間においてプライミング電極３６が陰極となる放電を抑制するためである。すると、その直前の書込み期間においてプライミング電極３６に蓄積された負の壁電圧が消失することなく保存される。
【００４１】
つづく第１サブフィールドの初期化期間前半部において走査電極２２に上り傾斜波形電圧を印加すると、プライミング放電セル４１ａ内の走査電極２２−プライミング電極３６間、主放電セル４０内の走査電極２２−維持電極２３間、走査電極２２−データ電極３２間のそれぞれにおいて微弱な放電が発生する。このとき走査電極２２−プライミング電極３６間で発生する放電（３）はプライミング電極３６側が陰極となる放電であり、プライミング電極３６上には電子放出層３９が設けられているため放電遅れの小さい安定した放電である。加えてこの放電は、プライミング電極３６上に負の壁電圧が蓄積された状態で発生するために、主放電セル４０内の放電（１）、（２）に先駆けて発生する。そして、このとき発生したプライミングが主放電セル４０内に供給される。したがって、主放電セル４０内の走査電極２２−維持電極２３間、走査電極２２−データ電極３２間で発生する放電（１）、（２）は十分なプライミングが供給された状態で発生するため、非常に安定した初期化放電となる。
【００４２】
このとき、プライミング電極３６に下り傾斜波形電圧を印加すると、走査電極２２−プライミング電極３６間で発生する放電を強めることができるので、主放電セル４０に供給するプライミングの量を増加させることができ、主放電セル４０の初期化放電をさらに安定させることができる。
【００４３】
このように、一般に放電遅れが大きく、放電が不安定になりがちなデータ電極３２の初期化放電、特に蛍光体層３５側が陰極となる初期化放電に先行してプライミング電極３６によるプライミング放電を発生させることにより、走査電極２２とデータ電極３２との間に十分なプライミングを供給することができ、データ電極３２の初期化放電の放電遅れを小さくし放電を安定化させることができる。そのため、つづく初期化期間後半部における壁電荷の調整も安定し、さらに安定した書込み動作、維持動作につながり、誤放電のない良好な画像表示が可能となる。
【００４４】
なお、ＡＣ型ＰＤＰの各電極は誘電体層に囲まれており放電空間と絶縁されているため、直流成分は放電そのものには何ら寄与しない。したがって、本発明の実施の形態で説明した駆動波形に直流成分を加えた波形を用いても同様の効果を得ることができる。
【００４５】
さらに、本発明の実施の形態においては、１フィールド期間が８個のサブフィールドから構成されるとして説明したが、本発明は、１フィールドを構成するサブフィールド数にかかわらず適用することができる。
【００４６】
さらに、最初のサブフィールドの初期化期間はすべての主放電セルで初期化放電を行う全セル初期化動作を行い、次のサブフィールド以降の初期化期間は維持放電を行った主放電セルを選択的に初期化する選択初期化動作を行うものとして説明したが、これらの初期化動作は任意に組み合わせてもよい。
【産業上の利用可能性】
【００４７】
本発明のパネルの駆動方法は、書込み動作の駆動電圧マージンを狭めることなく書込み放電を安定して発生させることができるので、壁掛けテレビや大型モニター等に用いられるパネル等として有用である。
【図面の簡単な説明】
【００４８】
【図１】本発明の実施の形態におけるパネルの構造を示す分解斜視図
【図２】同パネルの断面図
【図３】同パネルの電極配列図
【図４】同パネルの駆動波形図
【図５】初期化期間の前半部における放電の説明図
【符号の説明】
【００４９】
２１    前面基板
２２    走査電極
２２ａ，２３ａ    透明電極
２２ｂ，２３ｂ    金属母線
２２ｂ’    突出部分
２３    維持電極
２４    誘電体層
２５    保護層
２８    光吸収層
３１    背面基板
３２    データ電極
３３ａ，３３ｂ    誘電体層
３４    隔壁
３４ａ    縦壁部
３４ｂ    横壁部
３５    蛍光体層
３６    プライミング電極
３９    電子放出層
４０    主放電セル
４１ａ    プライミング放電セル
【図１】
2005258278.tif 000003
【図２】
2005258278.tif 000004
【図３】
2005258278.tif 000005
【図４】
2005258278.tif 000006
【図５】
2005258278.tif 000007